(57)【特許請求の範囲】
【請求項１】
主幹開閉器及び該主幹開閉器の二次側に接続される複数の分岐開閉器及び該主幹開閉器の一次側に接続される一次送り開閉器を機器取付板に配設した内器ブロックと、内器ブロックの前記各開閉器の操作部を前面側となるように前記機器取付板が取着される前面開口したボディとを備え、前記機器取付板には、前記主幹開閉器の一側に前記各分岐開閉器が配設され且つ前記主幹開閉器の他側に一次送り開閉器が隣接する形で取着されてなり、前記機器取付板には、前記主幹開閉器の前記他側における端面からボディに取着するための一対の耳片が突設され、耳片の突出方向において耳片よりも突出しない位置に前記一次送り開閉器が取り付けられる取付具が着脱自在に取着されてなり、前記取付具に、一次送り開閉器の出力側の側面に形成された引掛孔に係合する引掛爪と、主幹開閉器の一次側に電気的に接続された接続バーを固着したバー支持部材の固定部とが設けられてなることを特徴とする住宅用分電盤。
【請求項２】
前記取付具は、ボディの底板に臨む側が開放する断面コ字状に形成されてなることを特徴とする請求項１記載の住宅用分電盤。
【請求項３】
前記一次送り開閉器の入力側の側面に、前記接続バーが挿入接続される接続部が形成され、前記取付具に、一次送り開閉器の幅方向の両側面に略当接する位置決め片が設けられてなることを特徴とする請求項１又は請求項２記載の住宅用分電盤。
【請求項４】
前記ボディに結合されるカバーを備え、カバーは、前記各開閉器の操作部を露出させる窓孔が形成された中蓋と、中蓋を開閉自在に塞ぐ外蓋とを有し、前記一次送り開閉器の操作部を露出させる窓孔と前記分岐開閉器を露出させる窓孔とは独立して形成されてなることを特徴とする請求項１ないし請求項３のいずれかに記載の住宅用分電盤。
【発明の詳細な説明】
【０００１】
【発明の属する技術分野】
本発明は、主幹開閉器の一次側から送り線を介して接続される一次送り開閉器を有した住宅用分電盤に関するものである。
【０００２】
【従来の技術】
一般に、集合住宅やマンション等の各需要家に使用される住宅用分電盤にあっては、各需要家内に設けられた火災報知器や消火設備等の非常用機器への電源を確保するできるように、主幹開閉器の一次側（電源側）から非常用電源を得る非常電源系を設けてあり、非常電源系には一次送り開閉器が挿入されている。ここに、一次送り開閉器は入力側が主幹開閉器の一次側に送り線を介して接続されているが、この一次送り開閉器としては、主幹開閉器の一側に配設され主幹開閉器の二次側に接続されている複数の分岐開閉器のうちの一つが利用されていた。すなわち、複数の分岐開閉器のうちの一つの分岐開閉器に対する主幹開閉器の二次側からの接続を外し主幹開閉器の一次側を送り線を介して当該分岐開閉器の入力側に接続していた。しかしながら、この場合には、一次送り開閉器と分岐開閉器とが並設されることとなり、一次送り開閉器と分岐開閉器とを区別しにくいという不具合がある。
【０００３】
これに対し、特開平１０−１０８３１５号公報には、ボディ１０内において主幹開閉器３における分岐開閉器２の配設された側とは反対側に電流制限器を取着するための木板１２０を介在させて一次送り開閉器９０を配設した住宅用分電盤が提案されている。この住宅用分電盤では、一次送り開閉器９０と主幹開閉器３との間に電流制限器を配設することができる。
【０００４】
【発明が解決しようとする課題】
上述した特開平１０−１０８３１５号公報に開示された住宅用分電盤にあっては、主幹開閉器３と一次送り開閉器９０との間に木板１２０を配設して電流制限器を取着するようにしているので、予め主幹開閉器３の一次側と一次送り開閉器９０とを送り線により接続した場合、電流制限器の入力端子に接続される電源線と出力端子に接続される電源線との一方が送り線と交差するようになり、電流制限器に電源線を接続する作業が煩わしいという不具合があった。なお、電流制限器の二次側に送り線を接続することも検討されるが、電流制限器は設置現場で配設されるので、設置現場で送り線を電流制限器に接続する作業が必要となり、送り線の接続作業が煩わしいという不具合がある。
【０００５】
本発明は上記事由に鑑みて為されたものであり、その目的は、一次送り開閉器と分岐開閉器との区別が容易になるとともに一次送り開閉器と主幹開閉器とを接続する送り線の接続作業が容易な住宅用分電盤を提供することにある。
【０００６】
【課題を解決するための手段】
請求項１の発明は、上記目的を達成するために、主幹開閉器及び該主幹開閉器の二次側に接続される複数の分岐開閉器及び該主幹開閉器の一次側に接続される一次送り開閉器を機器取付板に配設した内器ブロックと、内器ブロックの前記各開閉器の操作部を前面側となるように前記機器取付板が取着される前面開口したボディとを備え、前記機器取付板には、前記主幹開閉器の一側に前記各分岐開閉器が配設され且つ前記主幹開閉器の他側に一次送り開閉器が隣接する形で取着されてなるので、一次送り開閉器と分岐開閉器との区別が容易になるとともに、一次送り開閉器と主幹開閉器とを接続する送り線の接続作業が容易となる。
【０００７】
また、前記機器取付板には、前記主幹開閉器の前記他側における端面からボディに取着するための一対の耳片が突設され、耳片の突出方向において耳片よりも突出しない位置に前記一次送り開閉器が取り付けられる取付具が着脱自在に取着されているので、一次送り開閉器を使用するときと使用しないときとで機器取付板の共通化が図れ、また、機器取付板の耳片側に電流制限器を配設するときに取付具が邪魔にならず、電流制限器の配設スペースを狭くすることができる。また、前記取付具に、一次送り開閉器の出力側の側面に形成された引掛孔に係合する引掛爪と、主幹開閉器の一次側に電気的に接続された接続バーを固着したバー支持部材の固定部とが設けられているので、一次送り開閉器の出力側の側面に形成された引掛孔に引掛爪を係止させた状態で一次送り開閉器の入力側に接続バーを接続することで一次送り開閉器を取付具に取着することができ、一次送り開閉器の取付作業が容易になる。
【０００８】
請求項２の発明は、請求項１の発明において、前記取付具は、ボディの底板に臨む側が開放する断面コ字状に形成されているので、取付具が強固なものとなる。
【００１０】
請求項３の発明は、請求項１又は請求項２の発明において、前記一次送り開閉器の入力側の側面に、前記接続バーが挿入接続される接続部が形成され、前記取付具に、一次送り開閉器の幅方向の両側面に略当接する位置決め片が設けられているので、取付具に設けた引掛爪を一次送り開閉器に設けた引掛孔に引っ掛け一次送り開閉器を位置決め片間に配置した後、接続部に接続バーを挿入接続した状態でバー支持部材を取付具に固定することによって、一次送り開閉器が取付具とバー支持部材とによって保持され、取付具に対して固定することができるから、一次送り開閉器を接続バーに接続する作業が容易になる。
【００１１】
請求項４の発明は、請求項１ないし請求項３の発明において、前記ボディに結合されるカバーを備え、カバーは、前記各開閉器の操作部を露出させる窓孔が形成された中蓋と、中蓋を開閉自在に塞ぐ外蓋とを有し、前記一次送り開閉器の操作部を露出させる窓孔と前記分岐開閉器を露出させる窓孔とは独立して形成されているので、カバーをボディから外すことなく外蓋を開くことにより一次送り開閉器の開閉操作を行うことができるとともに、一次送り開閉器と分岐開閉器との区別が容易になる。
【００１２】
【発明の実施の形態】
（実施形態１）
以下、本発明の一実施形態を図１ないし図１１を参照しながら説明する。
【００１３】
本実施形態の住宅用分電盤は、図１及び図２に示すように、矩形枠状に形成され底板１０ａの外周縁の全周にわたって周壁１０ｂが前方に突設された形状に形成されたボディ１０と、ボディ１０の前面側に結合されるカバー１１とで筐体が構成される。
【００１４】
なお、カバー１１には、開閉自在な外蓋８４が設けられるとともに、外蓋８４を開いた状態で回路遮断器よりなる主幹開閉器３の一部を露出させる窓孔８５、回路遮断器よりなる分岐開閉器２の一部を露出させる窓孔８２、回路遮断器よりなる一次送り開閉器９０の一部を露出させる窓孔８６などが形成された中蓋８３が設けられており、外蓋８４を開いた状態で各開閉器２，３，９それぞれの操作部Ｈを操作できるようになっている。
【００１５】
ボディ１０内には、複数の分岐開閉器２、主幹開閉器３、一次送り開閉器９０などを備えた内器ブロックＢが収納されている。なお、分岐開閉器２は主幹開閉器３の二次側（出力側）に入力側が電気的に接続されている。一次送り開閉器９０は、各需要家内に設けられた火災報知器や消火設備等の非常用機器への電源を確保するできるように設けた非常電源系に挿入されるものであり、入力側が主幹開閉器３の一次側（電源側）に送り線１０４，１０５などを介して電気的に接続されている。
【００１６】
ここに、分岐開閉器２は、図３に示すように、ボディ１０内において、上下２列に配設され、各列には１２台が並設される。これらの上下２列間には後述の３つの導電バー３１，３２，３３が回路遮断器２の並設方向に延長するように配置される。なお、上列の分岐開閉器２は上側に出力端子が位置し、下列の分岐開閉器２は下側に出力端子が位置する。
【００１７】
ところで、内器ブロックＢは、主幹開閉器３及び複数の分岐開閉器２が配設されるとともにボディ１０に取り付けられる機器取付板を備えている。この機器取付板は、図４ないし図９に示すように、両側縁が図５において上方向に折り曲げられた鉄板からなりボディ１０内で図３における上下に間隔をあけて横方向に並行配設される２つの基台４，４と、これら基台４，４間に橋絡するように配設される鉄板製の２つの取付ベース５と、基台４，４間の間隙に対応するように凹ませた取付ベース５の中央凹部５ｂ（図５参照）内に配設される樹脂製の２つの導電バー用取付ベース６と、この導電バー用取付ベース６の上と基台４上に被るように夫々配置された取付ベース５の側片５ａとに亙るように配設される分岐開閉器固定用の樹脂製の４つの固定ベース７と、基台４，４の一端部に側端部が固定されて側方に配置される鉄板製の主幹開閉器用固定ベース８とから成る。
【００１８】
取付ベース５は図５に示すように中央凹部５ｂをボディ１０方向に凹ませ、この中央凹部５ｂの両側より側方に延長した各側片５ａを基台４の両側の折り曲げ片４ａの端面上に載せ、各側片５ａに設けた挿通孔１４を介して固定ねじ１５を基台４側のねじ孔１６に締結することで両側の基台４，４間に橋絡するように固定され、中央部５ｂは基台４，４間に嵌まることになる。
【００１９】
導電バー用取付ベース６は上記中央凹部５ｂ内に配置されるもので、中央凹部５ｂの両側に穿孔された係止孔５９に係合する係止爪６０を突出させてあって、係止爪６０を係止孔５９に係止させることで位置決めされる。また、各導電バー用取付ベース６の一端側には夫々中性極Ｎの導電バー３１を支持するための支持ポスト１３を一体突設してある。
【００２０】
導電バー３１は、図６及び図７に示すように、両端部に形成した取付片３１ａに穿設した挿通孔３１ｂを介して固定ねじ３７を支持ポスト１３の上端部の凹部３４に収納固定されるナット（図示せず）に締結することで支持ポスト１３，１３間に橋絡配置される。
【００２１】
また支持ポスト１３，１３間を結ぶ中央部の両側の平面部がＬ１，Ｌ２の電圧極の導電バー３２，３３を配置する配置部位となり、これらの配置部位の側方の上面には固定ベース７を支持するピン１９を所定間隔で両端方向に一体立設してある。
【００２２】
また支持ポスト１３，１３間には導電バー３２，３３から一体に延長形成された一対の脚片２０，２１ごとに分離する分離壁２２と、脚片２０，２１の基部２８を沿わせるリブ２３とを突設してある。なお、この脚片２０とこの脚片２１とが夫々分岐開閉器２の一端側に設けた後述する電圧極用端子接続部に差し込み接続される分岐開閉器接続部を構成する。
【００２３】
導電バー３２，３３は固定ベース７が配設される前に、導電バー用取付ベース６上の夫々の配置部位に配置固定される。
【００２４】
導電バー３２，３３は同一形状に形成されており、対称配置されるようになっているもので、両端には固定ねじ２４を挿通する挿通孔２５が設けられ、固定ねじ２４を挿通孔２５を介して、導電バー用取付ベース６の凹部２６内に配置されるナット（図示せず）に締結することで固持されるようになっている。
【００２５】
固定ベース７は導電バー３２，３３を導電バー用取付ベース６に配設した後に導電バー用取付ベース６と取付ベース５の側片５ａ上に亙るよう配設される。この際固定ベース７の裏面より突出形成している係止爪２９を側片５ａに形成している係止孔３０に挿入係止して固定ベース７は固定される。
【００２６】
この固定ベース７の上面には分岐開閉器２の器体の両側面を挟み込むようにして位置決めをする位置決め突起３５と、図４に示すように上記電圧極用端子接続部を設けた一端部とは反対側の器体の他端部の両側面の下部に側方と下端とが開口した逆Ｌ状の凹所３６に該凹所３６の下面開口より挿入され、分岐開閉器２の移動により水平片により構成される引掛部３９を凹所３６の横凹部により形成される被引掛部５３に挿入して引掛部３９の下面に形成した凹み嵌合部３９ａに被引掛部５３の底部に形成した凸嵌合部５３ａを嵌合して引掛係止する逆Ｌ状の突起５４とを配列する分岐開閉器２数に対応して一体に突設してある。
【００２７】
主幹開閉器用固定ベース８は基台４，４の一端部に一側部より突出させた固定片４０を固定ねじ６１で基台４，４の端部に固定し、他側部より突出させた固定片４０’を固定ねじ６１’でボディ１０底部に固定することでボディ１０内に配設され、その上面には主幹開閉器３を螺子固定する。
【００２８】
主幹開閉器３の負荷側端子はＬ１、Ｌ２の電圧極及び中性極Ｎの導電バー４４、４５及び４６を介して各導電バー３２，３３及び３１に接続される。この接続は主幹開閉器３側の各導電バー３２，３３、３１の端部に各導電バー４４、４５，４６の端部を重ねて固定ねじ２４，２４，３７により固定されることで行われる。
【００２９】
また支持ポスト１３，１３間に橋絡配設された導電バー３１の上面には、両側に配置される分岐開閉器２の上面に臨む弾性突出片４７を有した係止部材４８（図４参照）を取着してある。
【００３０】
この係止部材４８は合成樹脂成形品からなり、両側の夫々４台の分岐開閉器２に対応するもので、導電バー３１には３組配置されるようになっており、各係止部材４８は導電バー３１に穿設してある丸孔５６に圧入される突起（図示せず）を下面に一体突設し、夫々揺動自在に一端が連結片により支持された弾性突出片４７（図４参照）を両側に４つずつ一体形成しある。そして、導電バー３１に取り付けられた時に、夫々の弾性突出片４７の先端部が正規位置に配置される分岐開閉器２の内側位置の上面に臨むように突出するようになっており、夫々の先端部両側には分岐開閉器２の内側位置の上面に並設した２つの突起状の被係止部５７に係止する係止部５８を側方に突出形成してある。
【００３１】
分岐開閉器２は固定ベース７上に固定配設される。ここで本実施形態に用いられる分岐開閉器２は内部に２極の開閉機構部を内蔵するもので、図４に示すように器体の一端部側に上、中、下の三段（図４における右側が上段で左側が下段）に導電バーの分岐開閉器接続部が挿入される導電バー差し込み口４１，４２，４３を開口しており、上段の導電バー差し込み口４１の高さ位置は固定ベース７に配設したときに丁度最上段の導電バー３１の高さ位置に対応し、また中段の導電バー差し込み口４２は導電バー３２或いは３３の脚片２１の高さ位置に対応し、更に下段の導電バー差し込み口４３は、導電バー３２或いは３３の脚片２０の高さ位置に対応している。
【００３２】
そして本例では上段の導電バー差し込み口４１内には図４に示すように中性極Ｎの導電バー３３側縁からなる分岐開閉器接続部を差し込み接続する端子接続部たる受け刃５１を配置し、中段及び下段の何れかの導電バー差し込み口４２、４３の一方にＬ１或いはＬ２の電圧極の導電バー３２，３３の分岐開閉器接続部２１或いは２０を差し込む受け刃５２を配設し、他方を受け刃が配設されていない収納部としている。なお、電圧極に対応する受け刃５２は導電バー差し込み口４２或いは４３の何れかの位置へ移動させることできるようになっており、上下二列に配列される分岐開閉器２群において、負荷バランスをとるように接続するＬ１及びＬ２の電圧極を容易に選択できるようになっている。
【００３３】
而して分岐開閉器２を固定ベース７に配設固定するに当たっては、分岐開閉器２を配設したい位置の固定ベース７上の一対の突起３５，３５間に導電バー差し込み口側の一端部の器体下部を嵌めるとともに、他端部側の器体両側側面の凹所３６の下部開口より突起５４を凹所３６内に嵌めて固定ベース７上に載置し（この時、係止部材４８の対応する弾性突出片４７の先端部が分岐開閉器２の上面に臨む）、この状態で分岐開閉器２を導電バー配置位置方向に直線移動させると、導電バー差し込み口４１に中性極Ｎの導電バー３１の側縁たる分岐開閉器接続部が挿入されて受け刃５１の開口に臨み、また中段の導電バー差し込み口４２にはＬ１或いはＬ２の電圧極の導電バー３１或いは３２の脚片２１が挿入され、さらに下段の導電バー差し込み口４３にはＬ２或いはＬ１の電圧極の導電バー３２或いは３１の脚片２０が挿入されることになり、導電バー差し込み口４３内に配置されている受け刃５２に脚片２０が臨むことになる。
【００３４】
一方、分岐開閉器２の直線移動に伴って係止部材４８の対応する弾性突出片４７の係止部５８下面の傾斜面５８ａが回路遮断器２の上面に形成した被係止部５７の傾斜面５７ａに当接し、この状態からさらに分岐開閉器２を移動させると弾性突出片４７の弾性変形を伴いながら係止部５８の傾斜面が被係止部５７の傾斜面上をスライドしながら乗り上げて、やがて被係止部５７を乗り越えることになり、弾性突出片４７が弾性で元に戻る。従って分岐開閉器２の被係止部５７が係止部５８に係止されることになる。これにより分岐開閉器２が外側方向（受け刃から導電バーが引き抜かれる方向）へ移動するのを規制する。一方、凹所３６に下方から嵌まった突起５４に設けられた引掛部３９は分岐開閉器２の移動に伴って被引掛部５３内に挿入され、やがて引掛部３９の下面に設けた嵌合凹部３９ａが被引掛部５３の下面に設けた嵌合凸部５３ａに凹凸嵌合することになる。この凹凸嵌合時に所謂クリック感が作業者に与えられ、分岐開閉器２が定位置、つまり受け刃５１，５２に導電バー３１、３２或いは３３の分岐開閉器接続部が完全に差し込まれた位置に移動したことを作業者に分からしめ、結果受け刃５１，５２に対する分岐開閉器接続部の差し込み量のばらつきを抑えることができるのである。そして被引掛部５３と引掛部３９との凹凸嵌合により、分岐開閉器２の上方向、つまり固定ベース７の面に対して垂直方向への移動を規制する。また引掛部３９及び突起５４は凹所３６及び被引掛部５３内に納まるため、隣接配置する分岐開閉器２との間の隙間を少なくすることができる。
【００３５】
このようにして簡単に分岐開閉器２を分電盤の筐体内の固定ベース７上に取り付け且つ電気的に接続することができることになる。
【００３６】
また、主幹開閉器用固定ベース８には、一次送り開閉器９０が配設される取付具６４が固定ねじ６７を用いて取着される。取付具６４は、固定ベース８に向かう側に折曲された折曲片６４ａを有する鉄板よりなり、主幹開閉器３側に位置する折曲片６４ａからは上記固定ねじ６７が挿通される挿通孔６６が穿孔された固定片６４ｂが延設されている。一方、固定ベース８には、上記固定ねじ６７の先端部が挿通される挿通孔１３０が設けられている。また、取付具６４には、一次送り開閉器９０の両側面にそれぞれ当接して一次送り開閉器９０の図３における左右方向の位置決めを行う位置決め片６５が一体に突設してある。
【００３７】
さらに、取付具６４の一端からは一次送り開閉器９０の器体の一端面の下部に形成された引掛孔９４に引掛ける引掛爪６８が一体に突設してあり、さらに取付具６４の他端側には主幹開閉器３と一次送り開閉器９０とを電気的に接続するための端子台１１０を固定ねじ１１２を用いて固定するために上記固定ねじ１１２が挿通される挿通孔６９が形成されている。ここに、端子台１１０には、図９ないし図１１に示すように、上記固定ねじ１１２が挿通される挿通孔１１１ａ，１１１ａが夫々形成された取付片１１１，１１１’が突設してあり、さらに、主幹開閉器３からの送り線１０４，１０５がそれぞれ接続されるとともに一次送り開閉器９０に電気的に接続される一対の接続端子が設けられている。この一方の接続端子は、送り線１０４を接続する端子ねじ１０６が螺合するねじ孔１０８が形成されたねじ接続部１０７と一次送り開閉器９０の器体の他端部側に開口された差込口９１，９２にそれぞれ差し込まれる差込刃１０１，１０２とが連続一体に形成されている。他方の接続端子は、送り線１０５を接続する端子ねじ１０６が螺合するねじ孔１０８が形成されねじ接続部１０９と、一次送り開閉器９０の器体の他端部側に開口された差込口１０３に差し込まれる差込刃１０３とが連続一体に形成されている。なお、本実施形態においては、上記接続端子が接続バーを構成し、端子台１１０がバー支持部材を構成している。
【００３８】
図８における上段の差込口９１の高さ位置は一次送り開閉器９０及び端子台１１０を取付具６４に配設したときに丁度最上段の差込刃１０１の高さ位置に対応し、また中段の差込口９２は差込刃１０２の高さ位置に対応し、更に下段の差込口９３は、差込刃１０３の高さ位置に対応している。
【００３９】
そして本例では上段及び中段のいずれかの差込口９１，９２内の一方に受け刃（図示せず）を配置し、他方を受け刃が配設されていない収納部としている。また、下段の差込口９３内には受け刃（図示せず）が配置されている。
【００４０】
而して一次送り開閉器９０を取付具６４に配設固定するに当たっては、一次送り開閉器９０の器体の取付具６４の一対の位置決め片６５で一次送り開閉器９０の器体の一端面の下部に形成された引掛孔９４に取付具６４の引掛爪６８を引掛けて器体の両側面をそれぞれ位置決め片６５に当接させた状態で、端子台１１０から突出した差込刃１０１，１０２，１０３それぞれを対応する差込口９１，９２，９３に差し込んだ後、端子台１１０を上記固定ねじ１１２により取付具６４に固定することで、一次送り開閉器９０及び端子台１１０が取付具６４に対して固定されることになる。
【００４１】
ここに、端子台１１０は、図１０及び図１１に示すように、上記取付面からの距離がそれぞれ異なる階段面１１７，１１７’を有する階段部が形成されており、各階段面１１７，１１７’にそれぞれ端子部１０７，１０９が配置されている。また、各差込刃１０１，１０２，１０３は端子台１１０において上記取付面に直交する面から突出する形で配置されている。ここにおいて、端子台１１０には各階段面１１７，１１７’に平行で接続端子の中間部が収納される収納溝１２２，１２３，１２４が形成されている。また、端子台１１０には、収納溝１１２，１２４の開口の一部を覆い接続端子の抜け止めをする抜け止め用リブ１２１，１２１が一体に突設されている。なお、各端子部１０７，１０９はそれぞれ各階段面１１７，１１７’に当接する形で配置され、各階段面１１７，１１７’にはそれぞれ各端子部１０７，１０９のねじ１０６，１０６の先端部が挿通される挿通孔１１３，１１３が形成されているので、各端子部１０７，１０９のねじ１０６，１０６を締め付けるときに端子台１１０にかかる力を吸収することができ、端子台１１０が破損し難くなる。また、各階段面１１７，１１７’に、端子部１０７，１０９の少なくとも一端面が当接する立壁１１５，１１５が設けられているので、端子部１０７，１０９のねじ１０６，１０６を締め付けるときに接続端子ぐらつくのを防ぐことが可能となり、ねじ１０６，１０６を締め付けるときに接続端子がぐらつかず、端子台１１０が破損し難くなる。
【００４２】
ところで、ボディ１０の底板１０ａの中央部には四角形状（矩形状）に開口した電線挿通孔７０が形成されている。また、底板１０ａには左右２個ずつの取付部たる支持台７５，７５が前方に突設されている。上側に位置する各支持台７５の周囲にはそれぞれ断面Ｌ字状であって矩形領域の角部をなすように配列されたガイド壁７４が形成され、下側に位置する各支持台７５の周囲にはそれぞれ断面Ｌ字状であって矩形領域の角部をなすように配列されたガイド壁７３が形成されている。上側の支持台７５には下方に隣接して底板１０ａからの突出寸法が支持台７５よりもやや大きい抜け止めボス６２が形成されている。また、下側の支持台７５の周囲に設けたガイド壁７３の前端側には下半分程度の受け片７３ａが連続一体に形成されている。ここに、底板１０ａから受け片７３ａまでの距離は底板１０ａから支持台７５の先端面までの距離よりもやや大きく設定されている。
【００４３】
また、底板１０ａにおける電線挿通孔７０の周縁には全周にわたって前方に突出するリブ７１が形成されており、このリブ７１によって電線挿通孔７０の周部が補強されている。
【００４４】
ボディ１０に形成した左右の支持台７５には、上述の内器ブロックＢが取り付けられる。ここに、内器ブロックＢの各基台４，４の一端部が図１における右側の各支持台７５，７５に載置されるとともに、支持台７５，７５に螺入される取付ねじ１２を用いてボディ１０に固定される。ここに、各基台４，４の一端部には、取付ねじ１２の頭部の直径よりも大きい丸孔状の大径部の上縁の一部に取付ねじ１２の直径よりも幅狭の溝部が連続する鍵穴状に形成された取付孔９が形成されている。したがって、取付ねじ１２を支持台７５に緩く螺入した状態で、取付ねじ１２の頭部に取付孔９の大径部を通し、取付ねじ１２の頭部を溝部に対応する部位までスライドさせた後に取付ねじ１２を締め付けることによって基台４をボディ１０に対して固定するようになっている。また、上述のように支持台７５，７５の周囲にはガイド壁７４，７３が形成されているから、内器ブロックＢの機器取付板の取付位置をガイド壁７４，７３に合わせることで位置決めが容易にでき、その上、下側のガイド壁７３には受け片７３ａが形成されているから、取付孔９の溝部に取付ねじ１２を挿入した状態では、取付孔９の大径部に抜け止めボス６２が挿入されるように抜け止めボス６２の位置が設定されている。
【００４５】
また、主幹開閉器用固定ベース８は、一端側の端面から突設された耳片たる取付片４０’が図１における左側の各支持台７５，７５に載置されるとともに、支持台７５，７５に螺入される取付ねじ６１’を用いてボディ１０に固定される。ここに、各取付片４０’，４０’には、取付ねじ６１’の頭部の直径よりも大きい丸孔状の大径部の上縁の一部に取付ねじ６１’の直径よりも幅狭の溝部が連続する鍵穴状に形成された取付孔５０’，５０’が形成されている。したがって、取付ねじ６１’を支持台７５に緩く螺入した状態で、取付ねじ６１’の頭部に取付孔５０’の大径部を通し、取付ねじ６１’の頭部を溝部に対応する部位までスライドさせた後に取付ねじ６１’を締め付けることによって主幹開閉器用固定ベース８をボディ１０に対して固定するようになっている。また、上述のように支持台７５，７５の周囲にはガイド壁７４，７３が形成されているから、内器ブロックＢの取付部材の取付位置をガイド壁７４，７３に合わせることで位置決めが容易にでき、その上、下側のガイド壁７３には受け片７３ａが形成されているから、取付孔５０’の溝部に取付ねじ６１’を挿入した状態では、取付孔５０’の大径部に抜け止めボス６２が挿入されるように抜け止めボス６２の位置が設定されている。
【００４６】
以上説明した本実施形態の住宅用分電盤では、前記機器取付板には、主幹開閉器３の一側に各分岐開閉器２が配設され且つ主幹開閉器３の他側に主幹開閉器３に隣接する形で一次送り開閉器９０が取着されているので、一次送り開閉器９０と分岐開閉器２との区別が容易になるとともに、一次送り開閉器９０と主幹開閉器３とを接続する送り線１０４，１０５の接続作業が容易となる。また、前記機器取付板には、主幹開閉器３の前記他側における端面から一対の取付片４０’，４０’が突設され、図９に示すように取付片４０’，４０’の突出方向（図９における左方向）において取付片４０’，４０’よりも突出しない位置に前記一次送り開閉器９０が取り付けられる取付具６４を着脱自在に取着するようになっているので、一次送り開閉器９０を使用するときと使用しないときとで機器取付板の共通化が図れ、また、機器取付板の取付片４０’，４０’側に電流制限器を配設するときに取付具６４が邪魔にならず、電流制限器の配設スペースを狭くすることができる。また、カバー１１をボディ１０から外すことなく外蓋８４を開くことにより一次送り開閉器９０の開閉操作を行うことができるとともに、一次送り開閉器９０と分岐開閉器２との区別が容易になる。
【００４７】
なお、ボディ１０の底板１０ａには電線挿通孔７０が形成されている。電線挿通孔７０は、ボディ１０の底板１０ａに内器ブロックＢが取り付けられた状態で電線挿通孔７０の内周縁と各分岐開閉器２の出力端子との間に電線を挿通可能な開口が形成され且つ前記並設方向における幅が前記並設方向において両側に位置する分岐開閉器２の端面間の距離よりも長くなるような大きさに形成されている。また、底板１０ａにおいて電線挿通孔７０の周縁から前方に突設されたリブ７１を備えているので、比較的大きな電線挿通孔７０を形成しながらもボディ１０の剛性を高めることができる。
【００４８】
なお、本実施形態においては、上記リブ７１のうち上下の平行な部位には、複数のねじ挿通孔７２が分岐開閉器２の幅寸法に対応するピッチで形成されており、底板１０ａの上下方向における一対のねじ挿通孔７２を利用して橋架部材を電線挿通孔７０を跨ぐ形で橋架できるようになっている。
【００４９】
（実施形態２）
本実施形態の住宅用分電盤の基本構成は実施形態１と略同じであって、図１２ないし図１４に示すように、電流制限器を配設する木板１２０が取り付けられる木板取付台８８が図１４において一次送り開閉器９０の左側に配設される点が相違する。なお、実施形態１と同様の構成要素には同一の符号を付して説明を省略する。
【００５０】
本実施形態では、実施形態１と同じ大きさの筐体を用いており、分岐開閉器２は図１３に示すように上下２列に配設され、各列には６台が並設されている。このため、本実施形態では、実施形態１に比べて各基台４，４の長さが短くなっており、導電バー用取付ベース６及び取付ベース７はそれぞれ１つだけ使用し、固定ベース７は２つだけ使用している。
【００５１】
本実施形態においては、実施形態１で説明した内器ブロックＢの機器取付板の一端側（図１４における右側）を実施形態１と同様にしてボディ１０に取り付け、他端側は底板１０ａの前面側で上下方向において電線挿通孔７０を跨ぐように橋架される橋架部材たる取付台７７に固定されるようになっている。この取付台７７は、上端部及び下端部それぞれに突設した各取付片９８に設けた取付穴９８ａを介して固定ねじ１００を底板１０ａのねじ挿通孔７２に締結することで固定される。一方、上記機器取付板の他端側は、上記取付片４０’に形成された取付孔５０’の溝部に固定ねじ６１’を挿通させ取付台４０の前面に形成された挿通孔９７に固定ねじ６１’を締結することで取付台７７に取着される。なお、取付台４０のうち上方に位置する挿通孔９７の下方の位置には取付孔５０’の大径部に嵌合するボス９９が突設されている。取付台７７において図１４における左側の側面には図１５に示すように木板取付台８８の右側の側面から突設された引掛突起９５が挿入される２つの引掛孔９６が形成されている。木板取付台８８を取付台４０に取着するには、引掛突起９５を引掛孔９６の幅広部９６ａから挿入し木板取付台８８を図１５における下方に移動させる引掛突起９５を引掛孔９６の幅細部９６ｂの開口周縁に重複させることで引掛係止すればよい。また、図１５に示すように木板取付台８８の左側の側面からは木板取付台８８を固定ねじ８９を用いて底板１０ａに取着するための取付溝８８ｂが形成された取付片８８ａが一体に突設されている。したがって、固定ねじ８９を取付溝８８ｂを介して底板１０ａから前方に突設されたボス６３の挿通孔に締結することで木板取付台８８の一端側を底板１０ａに取着することができるのである。
【００５２】
要するに、本実施形態においては、機器取付板の左右方向の一端側を取付部に取着するとともに、機器取付板の他端側を取付台７７に取着することにより内器ブロックＢを固定でき、機器取付板の左右方向の長さに応じて取付台７７を取り付けることで機器取付板の左右方向の長さが異なる内器ブロックＢであってもボディ１０を共通化することができ、低コストが図れるとともに部品管理が容易になる。また、ねじ挿通孔７２は、分岐開閉器２の並設方向における分岐開閉器２の幅寸法に対応する間隔で左右方向に並設されているので、機器取付板の左右方向の長さを並設する分岐開閉器２の数に応じて作製することができ、機器取付板の作製作業が容易となる。
【００５３】
【発明の効果】
請求項１の発明は、主幹開閉器及び該主幹開閉器の二次側に接続される複数の分岐開閉器及び該主幹開閉器の一次側に接続される一次送り開閉器を機器取付板に配設した内器ブロックと、内器ブロックの前記各開閉器の操作部を前面側となるように前記機器取付板が取着される前面開口したボディとを備え、前記機器取付板には、前記主幹開閉器の一側に前記各分岐開閉器が配設され且つ前記主幹開閉器の他側に一次送り開閉器が隣接する形で取着されてなるので、一次送り開閉器と分岐開閉器との区別が容易になるとともに、一次送り開閉器と主幹開閉器とを接続する送り線の接続作業が容易となるという効果がある。
【００５４】
また、前記機器取付板には、前記主幹開閉器の前記一側における端面からボディに取着するための一対の耳片が突設され、耳片の突出方向において耳片よりも突出しない位置に前記一次送り開閉器が取り付けられる取付具が着脱自在に取着されているので、一次送り開閉器を使用するときと使用しないときとで機器取付板の共通化が図れるという効果があり、また、機器取付板の耳片側に電流制限器を配設するときに取付具が邪魔にならず、電流制限器の配設スペースを狭くすることができるという効果がある。また、前記取付具に、一次送り開閉器の出力側の側面に形成された引掛孔に係合する引掛爪と、主幹開閉器の一次側に電気的に接続された接続バーを固着したバー支持部材の固定部とが設けられているので、一次送り開閉器の出力側の側面に形成された引掛孔に引掛爪を係止させた状態で一次送り開閉器の入力側に接続バーを接続することで一次送り開閉器を取付具に取着することができ、一次送り開閉器の取付作業が容易になるという効果がある。
【００５５】
請求項２の発明は、請求項１の発明において、前記取付具は、ボディの底板に臨む側が開放する断面コ字状に形成されているので、取付具が強固なものとなるという効果がある。
【００５７】
請求項３の発明は、請求項１又は請求項２の発明において、前記一次送り開閉器の入力側の側面に、前記接続バーが挿入接続される接続部が形成され、前記取付具に、一次送り開閉器の幅方向の両側面に略当接する位置決め片が設けられているので、取付具に設けた引掛爪を一次送り開閉器に設けた引掛孔に引っ掛け一次送り開閉器を位置決め片間に配置した後、接続部に接続バーを挿入接続した状態でバー支持部材を取付具に固定することによって、一次送り開閉器が取付具とバー支持部材とによって保持され、取付具に対して固定することができるから、一次送り開閉器を接続バーに接続する作業が容易になるという効果がある。
【００５８】
請求項４の発明は、請求項１ないし請求項３の発明において、前記ボディに結合されるカバーを備え、カバーは、前記各開閉器の操作部を露出させる窓孔が形成された中蓋と、中蓋を開閉自在に塞ぐ外蓋とを有し、前記一次送り開閉器の操作部を露出させる窓孔と前記分岐開閉器を露出させる窓孔とは独立して形成されているので、カバーをボディから外すことなく外蓋を開くことにより一次送り開閉器の開閉操作を行うことができるとともに、一次送り開閉器と分岐開閉器との区別が容易になるという効果がある。
【図面の簡単な説明】
【図１】実施形態１を示す分解斜視図である。
【図２】同上の外扉を開いた状態の一部破断正面図である。
【図３】同上のカバーを取り外した状態の正面図である。
【図４】同上の要部拡大断面図である。
【図５】同上の要部分解斜視図である。
【図６】同上の要部分解斜視図である。
【図７】同上の要部分解斜視図である。
【図８】同上の要部分解斜視図である。
【図９】同上の要部正面図である。
【図１０】同上の要部分解斜視図である。
【図１１】同上の要部を示し、（ａ）は正面図、（ｂ）は下面図である。
【図１２】実施形態２を示す分解斜視図である。
【図１３】同上の扉を開いた状態の正面図である。
【図１４】同上のカバーを取り外した状態の正面図である。
【図１５】同上の要部分解斜視図である。
【図１６】従来例を示す要部正面図である。
【符号の説明】
２  分岐開閉器
３  主幹開閉器
１０  ボディ
１０ａ  底板
１０ｂ  周壁
１１  カバー
９０  一次送り開閉器
Ｂ  内器ブロック
【図１】
0003589126.tif 000002
【図２】
0003589126.tif 000003
【図３】
0003589126.tif 000004
【図４】
0003589126.tif 000005
【図５】
0003589126.tif 000006
【図６】
0003589126.tif 000007
【図７】
0003589126.tif 000008
【図８】
0003589126.tif 000009
【図９】
0003589126.tif 000010
【図１０】
0003589126.tif 000011
【図１１】
0003589126.tif 000012
【図１２】
0003589126.tif 000013
【図１３】
0003589126.tif 000014
【図１４】
0003589126.tif 000015
【図１５】
0003589126.tif 000016
【図１６】
0003589126.tif 000017